(57)【要約】      （修正有）【課題】安定したインク回収を行うとともにインクの溶剤揮散量を低減することができるインクジェット記録装置を提供する。【解決手段】インク粒子を吐出するノズル８と、ノズルから吐出され印字に使用されないインク１０を回収するガター１４と、ガターにて回収したインクを循環する循環部と、ノズルによる吐出を制御する制御部と、を備えるインクジェット記録装置であって、循環部には、複数の検出器が備えられており、制御部では、複数の検出器にて検出した複数の検出信号に基づき循環部におけるインクの滞留状態を検知する。【選択図】図４
2017164964.tif 000002
【特許請求の範囲】
【請求項１】
インク粒子を吐出するノズルと、
前記ノズルから吐出され印字に使用されないインクを回収するガターと、
前記ガターにて回収したインクを循環する循環部と、
前記ノズルによる吐出を制御する制御部と、
を備えるインクジェット記録装置であって、
前記循環部には、複数の検出器が備えられており、
前記制御部では、前記複数の検出器にて検出した複数の検出信号に基づき前記循環部におけるインクの滞留状態を検知することを特徴とするインクジェット記録装置。
【請求項２】
請求項１記載のインクジェット記録装置であって、
前記複数の検出器は、電気抵抗測定手段、流量計または光検出器のいずれかであることを特徴とするインクジェット記録装置。
【請求項３】
請求項１記載のインクジェット記録装置であって、  
前記循環部は、前記ガターにて回収したインクを循環するための回収ポンプを備え、
前記制御部では、該インクの滞留状態の検知結果に基づき前記回収ポンプの回転数を決定することを特徴とするインクジェット記録装置。
【請求項４】
請求項１記載のインクジェット記録装置であって、
前記制御部では、予め定めた閾値を用いて前記循環部におけるインクの滞留状態を検知することを特徴とするインクジェット記録装置。
【請求項５】
請求項１記載のインクジェット記録装置であって、
前記制御部は、該複数の検出信号と該複数の検出信号を検出した検出器の配置位置とに基づき前記回収ポンプの回転数を決定することを特徴とするインクジェット記録装置。
【請求項６】
請求項１記載のインクジェット記録装置であって、
前記複数の検出器では、前記循環部の異なる複数の位置における検出信号を検出することを特徴とするインクジェット記録装置。
【請求項７】
インク粒子を吐出する吐出工程と、
前記吐出工程にて吐出され印字に使用されないインクを回収する回収工程と、
前記回収工程にて回収したインクを循環する循環工程と、
前記吐出工程における吐出を制御する制御工程と、
を備えるインクジェット記録装置の制御方法であって、
前記制御工程では、複数の検出器にて検出した複数の検出信号に基づきインクの滞留状態を検知することを特徴とするインクジェット記録装置の制御方法。
【請求項８】
請求項７記載のインクジェット記録装置の制御方法であって、
前記制御工程では、電気抵抗測定手段、流量計または光検出器のいずれかにより構成される前記複数の検出器にて該複数の検出信号を検出することを特徴とするインクジェット記録装置の制御方法。
【請求項９】
請求項７記載のインクジェット記録装置の制御方法であって、  
前記制御工程では、該インクの滞留状態の検知結果に基づき、前記循環工程にてインクを循環させる回収ポンプの回転数を決定することを特徴とするインクジェット記録装置の制御方法。
【請求項１０】
請求項７記載のインクジェット記録装置の制御方法であって、
前記制御工程では、予め定めた閾値を用いて前記循環工程におけるインクの滞留状態を検知することを特徴とするインクジェット記録装置の制御方法。
【請求項１１】
請求項７記載のインクジェット記録装置の制御方法であって、
前記制御工程では、該複数の検出信号と該複数の検出信号を検出した検出器の配置位置とに基づき前記回収ポンプの回転数を決定することを特徴とするインクジェット記録装置の制御方法。
【請求項１２】
請求項７記載のインクジェット記録装置の制御方法であって、
前記制御工程では、前記循環工程にてインクが循環する部分のうちの異なる複数の位置における検出信号を検出することを特徴とするインクジェット記録装置の制御方法。
【発明の詳細な説明】
【技術分野】
【０００１】
本発明はインクジェット記録装置およびインクジェット記録装置の制御方法に関する。
【背景技術】
【０００２】
インクジェット記録装置は、ノズルから噴出するインクに振動を与えてインク粒子を発生させ、飛行するインク粒子に帯電・偏向させることにより、インク粒子の飛行軌道を制御し、被印字物へインク粒子を着弾させて記録を行う。また、コンティニュアス型のインクジェット記録装置では、インク粒子はノズルから連続的に噴出され、記録に使用されないインク粒子は、ノズルから対向した位置に設けられたガター部より回収される。回収ポンプにより生じる負圧により、ガターから接続されたインク回収経路を通って、インクが貯留されているインク容器に戻され、再度用いられる。
【０００３】
従来、ガターからインク粒子を回収する際には、インク粒子とともに周辺の空気も回収される。インク回収経路内には、回収されたインク粒子と空気が内在しており、インク粒子中の溶剤成分は空気に揮散する。揮散した溶剤成分を含む空気は、インク容器に到達後、インク容器から大気へと放出される。インク粒子とともに回収される空気の吸い込み量が多いほど、インク粒子中の溶剤成分の揮発が増加し、揮散した溶剤を補給するため溶剤消費量が増加する。  
上記の問題に対し、溶剤消費量を低減する技術の一例として、先行技術文献１（特開２０１４-０６５２０３号）がある。この公報には、「インクが吐出されるノズルと、前記ノズルから吐出されて印字に使用されるインクを帯電させる帯電電極と、前記帯電電極で帯電されたインクを偏向させる偏向電極と、印字に使用されないインクを回収するガターと、前記ガターに接続しているインク回収経路と、を備えるインクジェット記録装置であって、前記インク回収経路に接続し、圧力を発生させる圧力発生手段と、前記インク回収経路と前記圧力を発生させる手段との間に接続され、前記インク回収経路に発生している圧力を検出する圧力検出手段と、制御部と、を有し、前記圧力検出手段で前記インク回収経路に発生している圧力値を検出し、検出された圧力値に応じて、前記制御部で前記圧力発生手段の圧力値を制御することを特徴とする。」と記載されている。
【先行技術文献】
【特許文献】
【０００４】
【特許文献１】特開２０１４-０６５２０３号
【発明の概要】
【発明が解決しようとする課題】
【０００５】
前記特開２０１４-０６５２０３号公報開示の技術では、インクの回収状態を回収経路中の圧力で推定し回収ポンプの制御を行っている。しかし、圧力センサを回収ガター付近に取り付けた場合、ガターからのインク溢れの恐れがある場合とない場合での圧力差が少なく正常に動作せずインク溢れが起こる可能性がある。また圧力センサは回収経路のようにエアーとインクが混じる経路では、構造上センサ部にエアーを含んでしまうため、正確に圧力を測定することができずインクの状態を正確に知ることができない。つまり、ガター付近にインクが溜まるとガターからのインク溢れの可能性が高まるが、ガターからある程度距離が離れた圧力センサ付近にインクが溜まったとしてもガターからのインク溢れの可能性は低い。しかし、従来技術では、ガター付近のインクの状態を知ることができないため、ガターからのインク溢れの可能性が低い状態でも、ガターからのインク溢れの可能性が高いと推定し、回収ポンプ回転数を制御してしまい、空気の吸い込み量が増加するため、インクの溶剤揮散量が増加してしまう問題がある。
【０００６】
本発明の目的は、効率良くインク回収を行うことのできるインクジェット記録装置およびインクジェット記録装置の制御方法を提供することにある。
【課題を解決するための手段】
【０００７】
本願は上記課題を解決する手段を複数含んでいるが、その一例を挙げるならば、インク粒子を吐出するノズルと、前記ノズルから吐出され印字に使用されないインクを回収するガターと、前記ガターにて回収したインクを循環する循環部と、前記ノズルによる吐出を制御する制御部と、を備えるインクジェット記録装置であって、前記循環部には、複数の検出器が備えられており、前記制御部では、前記複数の検出器にて検出した複数の検出信号に基づき前記循環部におけるインクの滞留状態を検知することを特徴とする。
【発明の効果】
【０００８】
本発明により、効率良くインク回収を行うことのできるインクジェット記録装置およびインクジェット記録装置の制御方法を提供することができる。
【図面の簡単な説明】
【０００９】
【図１】インクジェット記録装置の外観を示す斜視図である。
【図２】インクジェット記録装置の原理を示す斜視図である。
【図３】インクジェット記録装置の循環経路構成を示す図である。
【図４】本発明の実施形態１によるインクジェット記録装置の循環経路を示す図である。
【図５】本発明の実施形態１によるインクジェット記録装置の制御部の構成図である。
【図６】本発明の実施形態１によるインクジェット記録装置において回収ポンプの回転数を決定する制御フローを示す図である。
【図７】本発明の実施形態２によるインクジェット記録装置において回収ポンプの回転数を決定する制御フローを示す図である。
【図８】本発明の実施形態２によるインクジェット記録装置において回収ポンプの回転数を決定する制御フローを示す図である。
【図９】本発明の実施形態２によるインクジェット記録装置において回収ポンプの回転数を決定する制御フローを示す図である。
【図１０】本発明の実施形態２によるインクジェット記録装置において回収ポンプの回転数を決定する制御フローを示す図である。
【図１１】本発明の実施形態２によるインクジェット記録装置において回収ポンプの回転数を決定する制御フローを示す図である。
【図１２】本発明の実施形態２によるインクジェット記録装置において回収ポンプの回転数を決定する制御フローを示す図である。
【図１３】本発明の実施形態３によるインクジェット記録装置の循環経路を示す図である。
【図１４】本発明の実施形態４によるインクジェット記録装置の循環経路を示す図である。
【発明を実施するための形態】
【００１０】
以下、本発明の実施例を図面を用いて説明する。なお、本発明は以下の実施例に限定されるものではない。
【００１１】
図１はインクジェット記録装置１００を示す斜視図である。インクジェット記録装置１００には、外部には操作表示部３が備えら、上段には制御部6が備えられ、下段には循環系５が備えられた本体１と印字ヘッド２が備えられており、本体１と印字ヘッド２は導管４で接続されている。
【００１２】
ここでインクジェット記録装置１００の原理について説明する。図２に示すように、インク容器１８内のインクはポンプ２５に吸引、加圧されてインク柱７となってノズル８から吐出される。ノズル８には、電歪素子９が備えられており、インクに所定の周波数で振動を加えてノズル８から吐出されるインク柱７を粒子化するようになっている。これにより生成されるインク粒子１０の数は、電歪素子９に印加する励振電圧の周波数により決定され、その周波数と同数となる。インク粒子１０は印字情報に対応した大きさの電圧を帯電電極１１にて印加することで電荷を与えられるようになっている。帯電電極１１で帯電させられたインク粒子１０は偏向電極１２間に生じる電界中を飛翔している間、帯電量に比例した力を受けて偏向し、印字対象物１３へ向かって飛翔して着弾する。その際、インク粒子１０は帯電量に応じて偏向方向の着弾位置は変化し、さらに偏向方向と直交する方向に生産ラインが印字対象物１３を移動させることで、偏向方向と直交した方向にも粒子を着弾させることが可能となり、複数の着弾粒子によって、文字を構成し印字を行う。印字に使用されなかった。インク粒子１０偏向電極１２を直線的に飛翔して、ガター１４により補足された後に経路を経由して、主インク容器１８に回収される。
【００１３】
図３は、インクジェット記録装置１００の循環系５とヘッド２を含む全体的な経路構成を示す説明図である。循環系５には、循環するインクを保持する主インク容器１８が備えられており、主インク容器１８には、主インク容器１８内の液体が内部に保持されるのに適正な量である基準面レベルに達しているか否かを検知する液面センサ３８が備えられている。主インク容器１８には、インクを循環させるための経路１０１を介してインクの粘度を計測するための落下式粘度計である粘度測定器２１に接続されている。
【００１４】
粘度測定器２１は経路１０２を介して経路の開閉を行う電磁弁２２に接続されており、電磁弁２２は経路１０３を介してインクや溶剤の吸引、圧送に供されるポンプ２５に接続されている。そして、ポンプ２５は経路１０４を介してインク柱に混入している異物を除去するフィルタ２８に接続されている。
【００１５】
フィルタ２８は、経路１０５を介してポンプ２５から圧送されたインクを印字するために適正な圧力に調整する減圧弁３０に接続されており、減圧弁３０は、経路１０６を介してインクの圧力を検出するための圧力センサ３１に接続されている。
【００１６】
圧力センサ３１は、導管４内を通る経路１０７を介して印字ヘッド２内に備えられたインクを吐出する吐出口を備えたノズル８に接続されている。
【００１７】
ノズル８のインク吐出方向には、ノズル８から吐出されたインク粒子１０に印字する文字情報に応じた電荷量をインク粒子１０に帯電させる帯電電極１１が配置されている。帯電電極１１により帯電させられたインク粒子１０の飛翔方向側には、印字に使用されないために帯電、変更されずに直線的に飛翔するインク粒子１０を補足するガター１４が配置されている。
【００１８】
ガター１４は、導管４内を通る経路１０８を介して循環系５内に配置されているインク中に混入している異物を除去するフィルタ２９と接続されており、フィルタ２９は、経路１０９を介してガター１４により補足されたインク粒子１０を吸引する回収ポンプ２６と接続されている。そして、回収ポンプ２６は、経路１１０を介して吸引したインク粒子１０を主インク容器１８に回収する
循環系５には、排気孔３２が設けられており、排気孔３２は経路１５０を介してインク容器１８と接続されており、インク中の揮発した溶剤成分が経路１５０を介して、循環系５の外部に排気される。
【００１９】
また、循環系５には、ノズル８で生じるインクによる汚染の解消及びインクの濃度を調整するための溶剤を収容する溶剤容器２０が備えられており、溶剤容器２０は経路１１１を介して溶剤の吸引、圧送を行うポンプ２７に接続されている。また、ポンプ２７は、経路１１２を介して経路の開閉を行う電磁弁２４に接続されており、電磁弁２４は、経路１１３を介して主インク容器１８に接続されている。
【００２０】
さらに、循環系５には、補充用のインクを保持する補助インク容器１９が備えられており、補助インク容器１９は、経路１２０を介して経路の開閉を行う電磁弁２３に接続されている。そして、電磁弁２３は経路１２１を介して経路１０３に接続されている。
【実施例１】
【００２１】
つづいて本実施例におけるインクジェット記録装置の循環経路構成の概要を図４で、制御構成の機能図を図５で、回収ポンプ回転数制御フローについて図６を用いて説明をする。
【００２２】
インクジェット記録装置においては、回収ポンプの回転数は一定であるため、高温時のような回収性が悪い条件で十分な回収流量を確保できるように回転数が定められている。そのため、常温時においても回収ポンプの回転数を高くして負圧を大きくし、回収流量を多くせざるをえないため、余分に空気を回収することになり、インク粒子中の溶剤成分の揮散量が増加し、溶剤消費量が増加する課題がある。
【００２３】
図４において、２６は回転数を可変できる回収ポンプであり、１４はガターであり、２９はフィルタであり、１０８はガターから回収されるインクが流れる経路であり、５００は経路１０８のガターよりに接続されている導電性のブロックであり、５１０はブロック５００に接続されている絶縁材料で作られた経路であり、５０１は経路５１０に接続されている導電性のブロックであり、５１１はブロック５０１に接続されている絶縁材料で作られた経路であり、５０２は経路５１１に接続されている導電性のブロックであり、５１２はブロック５０２に接続されている絶縁材料で作られた経路であり、５０３は経路５１２に接続されている導電性のブロックであり、５１３はブロック５０３に接続されている絶縁材料で作られた経路であり、５０４は経路５１３に接続されている導電性のブロックであり、５１４はブロック５０４に接続されている絶縁材料で作られた経路であり、５０５は経路５１４に接続されている導電性のブロックであり、５１５はブロック５０５とフィルタ２９に接続されている経路であり、５２０はブロック５００とブロック５０１に接続された電気抵抗測定手段であり、４００は電気抵抗測定手段５２０で測定された抵抗値ＲＡであり、５２２はブロック５０２とブロック５０３に接続された電気抵抗測定手段であり、４０１は電気抵抗測定手段５２２で測定された抵抗値ＲＢであり、５２４はブロック５０４とブロック５０５に接続された電気抵抗測定手段であり、４０２は電気抵抗測定手段５２４で測定された抵抗値ＲＣである。
【００２４】
図５において、本実施例におけるインクジェット記録装置１００の制御部６の構成として、演算機能を有しインクジェット記録装置全体を制御するＭＰＵ６０１と、バス６１１によりＭＰＵ６０１を動作させるために必要なプログラムデータを記憶するＲＯＭ６０２と、プログラム実行中に必要なデータを一時的に記録するＲＡＭ６０３と、印字内容や設定値などを入力する入力装置６０４と、入力装置６０４で入力された内容や状態などを表示する表示装置６０５と、ノズル８から噴出されたインクを粒子化させるためのノズル８に取り付けられた励振素子に与える励振電圧を発生させる励振電圧発生回路６０６と、インク粒子１０に電荷を与えるための帯電電極１１に与える帯電電圧を発生させる帯電電圧発生回路６０７と、帯電したインク粒子１０を印字内容に合わせて偏向させるための偏向電極１２に与える偏向電圧を発生させる偏向電圧発生回路６０８と、インクや溶剤の流れの改変を行う電磁弁の制御を行う電磁弁制御回路６０９と、全てのポンプを駆動するモーターを一定速度で回転させるためのポンプ制御基板６１０を備えている。
【００２５】
６１１はＭＰＵ６０１からデータ、アドレス信号、コントロール信号全てを伝送するバスラインであり、６０１〜６１０はバスライン６１１を介してデータ、信号の伝送のやりとりを行っている。前記電気抵抗測定手段から出力された抵抗値（滞留検知信号）ＲＡ４００・ＲＢ４０１・ＲＣ４０２はバス６１１を介して、ＭＰＵ６０１に伝送され、ＭＰＵ６０１に格納されているプログラムに従い、後述する制御フローに基づいて回収ポンプの回転数のモードを決定する。バス６１１を介して前記情報をポンプ制御回路６１１に伝送し、回収ポンプ２６の回転数を変化させる。
【００２６】
＜インク滞留検知による制御＞
図６に前述の電気抵抗測定手段から出力される抵抗値ＲＡ４００、ＲＢ４０１、ＲＣ４０２をインプットとしてＭＰＵ６０１にて行われる制御フローの一例を示す。
【００２７】
電気的な抵抗値Ｒは抵抗体の比抵抗ρと、断面積Ａおよび長さＬによりＲ＝ρ・Ｌ／Ａの式で求められる。前記の式より抵抗値Ｒは抵抗体の表面積Ａに反比例するため、長さＬが一定であれば、経路内の抵抗値を測定することにより、チューブ内のインクの表面積を知ることができる。そのため、電気抵抗値を測定することでインクの滞留状況を検知することができる。
【００２８】
インクが滞りなくガター１４から回収でき、かつ余分な空気の回収が行われていない状態の場合は、抵抗値はある閾値Ｋ１とＫ２（Ｋ１＜Ｋ２）の領域内（Ｋ１＜Ｒ＜Ｋ２）を示す。前記領域内では、インクの回収性に問題がなく、かつガターへ余分に空気を回収しない状態となり、インク粒子中の溶剤成分の揮散量を低減でき、結果、溶剤消費量を抑えることができる。
【００２９】
前記抵抗値は、制御部に入力され、制御部は各抵抗値ＲＡ４００、ＲＢ４０１、ＲＣ４０２を閾値Ｋ１あるいはＫ２と比較する。図６でも示しているとおり、回収ポンプ２６の回転数制御はガターからの溢れ防止のため、ガターに近い抵抗測定器より出力された抵抗値から、閾値との比較を行い、閾値Ｋ１とＫ２に対して各抵抗値がＫ１＜ＲＡ４００＜Ｋ２（Ｓ６０１、Ｓ６０３）、Ｋ１＜ＲＢ４０１＜Ｋ２（Ｓ６０５、Ｓ６０７）、Ｋ１＜ＲＣ４０２＜Ｋ２（Ｓ６０９、Ｓ６１１）、を示す場合、溶剤消費量が抑えられている状態のため、回収ポンプ２６の回転数は変更しない（Ｓ６１３）。
【００３０】
また、閾値Ｋ１に対して抵抗値ＲＡ４００≦Ｋ１となる場合、ガター１４付近においてインクの回収量が足りず経路５１０内のインクが過剰になっており、回収不良が起こりえる状態のため、前記抵抗値ＲＡ４００が閾値内に入るように、回収ポンプの回転数をあらかじめ設定した回転数Ａｒｐｍに上げる（Ｓ６０４）。
【００３１】
また、閾値Ｋ１に対してＫ１＜ＲＡ４００＜Ｋ２かつ抵抗値ＲＢ４０１≦Ｋ１となる場合、インクの回収量が足りず経路５１２内のインクが過剰になっている状態ではあるが、測定位置がガターから離れており、インク回収不良が起こる可能性がＲＡ４００≦Ｋ１の場合よりも低いため、前記抵抗値ＲＢ４０１が閾値内に入るように、回収ポンプ２６の回転数をあらかじめ設定した回転数（Ａ＞Ｂ）Ｂｒｐｍに上げる（Ｓ６０８）。
【００３２】
同様に、閾値Ｋ１に対してＫ１＜ＲＡ４００＜Ｋ２、Ｋ１＜ＲＢ４０１＜Ｋ２かつ、抵抗値ＲＣ４０２≦Ｋ１となる場合、インク回収不良が起こる可能性がＲＢ４０１≦Ｋ１の場合よりも低いため、前記抵抗値ＲＣ４０２が閾値内に入るように、回収ポンプ２６の回転数をあらかじめ設定した回転数（Ａ＞Ｂ＞Ｃ）Ｃｒｐｍに上げる（Ｓ６１０）。
【００３３】
一方、閾値Ｋ２に対して、ＲＡ４００≧Ｋ２の場合はガター付近の経路内の空気が過剰であり、余分に空気を回収している状態となるため、揮散量を低減するために、前記抵抗値ＲＡ４００が閾値内に入るように、回収ポンプ２６の回転数をあらかじめ設定した回転数Ｄｒｐｍに下げる（Ｓ６０２）。
【００３４】
同様に、閾値Ｋ１に対して抵抗値ＲＢ４０１≧Ｋ２となる場合、余分な空気を吸っている状態ではあるが、測定位置がガターから離れており、回収ポンプ２６の回転数を過度に下げるとインク回収不良が起こる可能性があるため、前記抵抗値ＲＢ４０１が閾値内に入るように、回収ポンプ２６の回転数をあらかじめ設定した回転数（Ｅ＞Ｄ）Ｅｒｐｍに下げる（Ｓ６０６）。
【００３５】
同様に、閾値Ｋ２に対して抵抗値ＲＣ４０２≧Ｋ２となる場合、回収ポンプ２６の回転数をあらかじめ設定した回転数（Ｆ＞Ｅ＞Ｄ）Ｆｒｐｍに下げる（Ｓ６１２）。
【００３６】
上記のように、設置位置の異なる３個の電気抵抗測定器により測定された電気抵抗に基づいて制御を行うことにより、ガター１４からのインク溢れを防止するための回収ポンプ回転数を必要最低限にすることができ、かつ、余分な空気の吸い込みが抑えられ、最低限の溶剤消費量を実現することができる。
【００３７】
なお、複数のインク滞留検知手段による回収ポンプの制御について電気抵抗測定器を３個備えているインクジェット記録装置で説明を行っているが、複数のインク滞留検知手段は３個に限定されるものではなく、必要に応じて変更可能である。インク滞留検知手段を増やす場合は、より精度よくインクの滞留状態を知ることができ、インク溢れを防止しつつ回収流量を低減することができる。
【００３８】
さらに閾値Ｋ1、Ｋ２はそれぞれの測定箇所に応じて最適な値が変わる可能性があるため個別に設定できるものである。本実施例では、予め定められた値として記載したが、外部から入力された値であってもよい。
【００３９】
また本実施例中でポンプ回転数Ａ・Ｂ・Ｃ・Ｄ・Ｅ・Ｆ・Ｇはあらかじめ決められたものであるが、電気抵抗値の測定結果から算出された回転数や、外部から入力された回転数での動作も可能である。
【実施例２】
【００４０】
本実施例では、インクジェット記録装置に複数備えられた、経路内電気抵抗測定値と、測定箇所に基づいた回収ポンプの回転数制御について説明を行う。
図７、図８、図９、図１０、図１１、図１２は、は前述の電気抵抗測定手段から出力される抵抗値ＲＡ４００、ＲＢ４０１、ＲＣ４０２をインプットとしてＭＰＵ６０１にて行われる制御フローであり、図７は抵抗値ＲＡ４００が、Ｋ１＜ＲＡ４００＜Ｋ２となりガター１４付近における回収状況が最適な場合の制御フローの一部を示す。
＜インク滞留検知箇所による制御＞
抵抗値と測定箇所の情報を組み合わせることにより、インクの滞留が経路全体で起きているか、局所的に起きているかを区別することができ回収量を最適化することができる。例をあげると図７において、抵抗値がＫ１＜ＲＡ４００＜Ｋ２、ＲＢ４０１≧Ｋ２、ＲＣ４０２≧Ｋ２となる場合（Ｓ７０９でＹｅｓ）は、ガター１４よりではない電気抵抗測定器５２２、５２４から出力された電気抵抗値ＲＢ４０１、ＲＣ４０２は経路内の空気が多い状態を示しており、ガターよりの電気抵抗値ＲＡ４００は最適な回収状態を示しており、経路全体としては経路内の空気が多いため回収ポンプ２６の回転数をＴｒｐｍに下げる（Ｓ７１5）。
【００４１】
一方抵抗値がＫ１＜ＲＡ４００＜Ｋ２、Ｋ１＜ＲＢ４０１＜Ｋ２、ＲＣ４０２≧Ｋ２となる場合は、ガター１４よりではない電気抵抗値、ＲＣ４０２が経路内の空気が多い状態を示しているが、ガターよりの電気抵抗値ＲＡ４００とガターよりではない抵抗値ＲＢ４０１は最適な回収状態を示しているため、経路全体としては最適に近い回収状況にあり、回収ポンプ２６の回転数を過度に下げると、インクの滞留により、ガターからのインク溢れが起こる可能性があるため、回収ポンプ２６の回転数（Ｔ＞Ｐ）をＰｒｐｍに下げる（Ｓ７１3）。
【００４２】
例にあげた（Ｓ７１３、Ｓ７１５）以外については詳細な説明を省略するが、Ｓ７１３、Ｓ７１５と同様に、抵抗値と測定箇所の情報を組み合わせることにより最適な回収ポンプ回転数の設定を行うことが可能となる。図７〜１２に示すように、経路内電気抵抗測定値と、測定箇所に基づき回収ポンプの回転数制御（Ｇ＞Ｈ＞Ｉ＞Ｊ＞Ｋ＞Ｌ＞Ｍ＞Ｎ＞Ｏ＞Ｐ＞Ｑ＞Ｒ＞Ｓ＞Ｔ＞Ｕ＞Ｖ＞Ｗ）を行うことで、ガター１４からのインク溢れを防止するための回収ポンプ回転数を必要最低限にすることができ、余分な空気の吸い込みが抑えられ、最低限の溶剤消費量を実現することができる。
【実施例３】
【００４３】
本実施例では、インクジェット記録装置に複数備えられた、経路内電気抵抗測定値を、流量計によるインク滞留検知手段に置き換えた場合について説明を行う。
【００４４】
本実施例におけるインクジェット記録装置の制御構成の循環経路構成の概要を図１３を用いて説明する。
【００４５】
図１３において、１０８はガターから回収されるインクが流れる経路であり、１３００は経路１０８のガターよりに接続されている流量計、１３１０は流量計１３００に接続されている経路であり、１３０１は経路１３１０に接続されている流量計であり、１３１１は流量計１３０１に接続されている経路であり、１３０２は経路１３１１に接続されている流量計であり、１３１２は流量計１３０２とフィルタ２９に接続されている経路であり、１３２０は流量計１３００から出力される流量測定値ＦＡであり、１３２１は流量計１３０１から出力される流量測定値ＦＢであり、１３２２は流量計１３０２から出力される流量測定値ＦＣである。
【００４６】
回収ポンプ２６とガター１４の間にある経路は、インクが滞りなくガター１４から回収でき、かつ余分な空気の回収が行われていない状態の場合は、流量Ｆはある閾値Ｋ１とＫ２（Ｋ１＜Ｋ２）の領域内（Ｋ１＜Ｆ＜Ｋ２）を示す。そのため、流量Ｆを測定することで回収経路内の滞留状況を知ることができ、実施例１の＜インク滞留検知による制御＞、実施例２の＜インク滞留検知箇所による制御＞と同様の制御を行うことができる。
【実施例４】
【００４７】
本実施例では、インクジェット記録装置に複数備えられた、経路内電気抵抗測定値を、光検出器によるインク滞留検知手段に置き換えた場合について説明を行う。
【００４８】
本実施例におけるインクジェット記録装置の制御構成の循環経路構成の概要を図１４を用いて説明する。
【００４９】
図１４において、１０８はガターから回収されるインクが流れる経路であり、フィルタ２９と接続されている。１４００は経路１０８ガター付近に設置され、経路１０８に光を当てている光源であり、１４０１は、１４０１は光源１４００とフィルタ２９の間に設置され、経路１０８に光を当てている光源であり、１４０２は光源１４０１とフィルタ２９の間に設置され、経路１０８に光を当てている光源であり、１４１０は光源１４００の発光部と経路１０８を挟んで一直線上に配置された光検出器であり、１４１１は光源１４０１の発光部と経路１０８を挟んで一直線上に配置された光検出器であり、１４１２は光源１４０２の発光部と経路１０８を挟んで一直線上に配置された光検出器であり、１４２０は光検出器１４１０から出力される信号ＬＡであり、１４２１は光検出器１４１１から出力される信号ＬＢであり、１４２２は光検出器１４１２から出力される信号ＬＣである。
【００５０】
回収ポンプ２６とガター１４の間にある経路は、インクが滞りなくガター１４から回収でき、かつ余分な空気の回収が行われていない状態の場合は、光源からの光は、経路１０８中のインクにより一定の割合で遮られるため光検出器の信号Ｌはある閾値Ｋ１とＫ２（Ｋ１＜Ｋ２）の領域内（Ｋ１＜Ｌ＜Ｋ２）を示す。そのため、光検出器の信号を測定することで回収経路内の滞留状況を知ることができ、実施例１の＜インク滞留検知による制御＞、実施例２の＜インク滞留検知箇所による制御＞と同様の制御を行うことができる。
【００５１】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００５２】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（ＳｏｌｉｄＳｔＡｔｅＤｒｉｖｅ）等の記録装置、または、ＩＣカード、ＳＤード、ＤＶＤ等の記録媒体に置くことができる。
【００５３】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００５４】
１インクジェット記録装置本体、２印字ヘッド、３操作表示部、４導管、５インクジェット記録装置循環系、６インクジェット記録装置制御部、７インク柱、８ノズル、９電歪素子、１０インク粒子、１１帯電電極、１２偏向電極、１３印字対象物、１４ガター、１８主インク容器、１９補助インク容器、２０溶剤容器、２１粘度測定器、２２、２３、２４電磁弁、２５、２７ポンプ、２６回収ポンプ、２８、２９フィルタ、３０減圧弁、３１圧力センサ、３２排気口、３８液面センサ、１００インクジェット記録装置、４００抵抗値ＲＡ、４０１抵抗値ＲＢ、４０２抵抗値ＲＣ、５００、５０１、５０２、５０３、５０４、５０５導電性ブロック、１３００、１３０１、１３０２流量計、１４００、１４０１、１４０２光源、１４１０、１４１１、１４１２光検出器
【図１】
2017164964.tif 000003
【図２】
2017164964.tif 000004
【図３】
2017164964.tif 000005
【図４】
2017164964.tif 000006
【図５】
2017164964.tif 000007
【図６】
2017164964.tif 000008
【図７】
2017164964.tif 000009
【図８】
2017164964.tif 000010
【図９】
2017164964.tif 000011
【図１０】
2017164964.tif 000012
【図１１】
2017164964.tif 000013
【図１２】
2017164964.tif 000014
【図１３】
2017164964.tif 000015
【図１４】
2017164964.tif 000016